(57)【要約】【課題】未使用時の電気製品は電源プラグが剥き出しのため、プラグによる負傷や物損を防止出来ない。また、電源コードは散乱する。【解決手段】外面と内面に電源プラグを嵌合できる線状の開閉口を有する容器を提供する。【選択図】図１
2014139908.tif 000002
【特許請求の範囲】
【請求項１】
外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなることを特徴とする容器。
【請求項２】
外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなり、上記線状の開閉口の深さは１７ｍｍ以上であることを特徴とする容器。
【請求項３】
外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなり、上記開口部から容器の閉塞する方向に１箇所又は複数箇所の開閉可能な接合部を備えたことを特徴とする容器。
【請求項４】
外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなり、上記線状の開閉口の深さは１７ｍｍ以上であり、上記開口部から容器の閉塞する方向に１箇所又は複数箇所の開閉可能な接合部を備えたことを特徴とする容器。
【発明の詳細な説明】
【技術分野】
【０００１】本発明は、未使用時の電気製品の電源プラグおよび電源コードを収納する容器に関するものである。
【背景技術】
【０００２】従来、未使用時の電気製品の電源プラグおよび電源コードはそのまま床に散乱させると、うっかり電源プラグを踏んで足裏を負傷したり、物を傷つけたり、電源プラグを曲げてしまうなどの問題があった。【０００３】近年、電源プラグによる負傷や物損、電源プラグを曲げてしまうなどの問題を解決するために、収納式の電源プラグが使用されている。【０００４】しかしながら、電気製品用の電源コードには収納式でない電源プラグが普及しているため、未使用時には電源コードを一定の長さに多重に折りたたみ、金属線をプラスチックで被覆した線材や輪ゴムで固縛するなどして散乱させない工夫をするものの、電源プラグは剥き出しのため上記問題を完全に解決することはできない。【０００５】問題の解決には、錠付き電源プラグカバーに未使用時の電源プラグを収納する容器の考案や鍵付き差し込みプラグの考案が活用できる。
（実開平５−２５６７２）
（実開昭６１−５１６７４）
【先行技術文献】
【特許文献】
【０００６】
【特許文献１】実開平５−２５６７２
【特許文献２】実開昭６１−５１６７４
【発明の概要】
【発明が解決しようとする課題】
【０００７】実開平５−２５６７２の錠付き電源プラグカバーは、末使用時の電源プラグを錠付き容器内に剥き出しで収納するものであり、例えば幼児が電源プラグをいたずらしてコンセントに差し込もうとして誤って感電する事故を防止でき、しかも容器内の溝に電源コードを通すことで容器の紛失を防止するものである。【０００８】実開昭６１−５１６７４の鍵付き差し込みプラグは、未使用時の電源プラグをプラグ受けに挿入し鍵をかけるもので、シリンダー錠を９０°回転させることにより電源プラグの固定と取り外しができる。【０００９】実開平５−２５６７２の錠付き電源プラグカバーは、容器への電源プラグの出し入れの際に、容器の開閉が必要で、一時的に電源プラグを収納したい時などには作業の煩わしさがある。また、容器内にごみなどの異物が侵入すると収納されたプラグが汚れ、その後の電気製品の使用時にショートなどの支障をきたす問題がある。【００１０】実開昭６１−５１６７４の鍵付き差し込みプラグは、電源プラグの固定と取り外しの際に、シリンダー錠を９０°回転させるので、一時的に電源プラグを収納したい時などには作業の煩わしさがある。また、プラグ受けはプラグの断面形状と同じもしくは広い開口部を有するため、異物が侵入した場合にプラグを嵌合できなくなる問題がある。【００１１】本発明は、容器の外側からも内側からも電源プラグを嵌合できる線状の開閉口を有し、電気製品を一時的に使用しない時は電源プラグを容器外面の線状の開閉口に嵌合することで剥き出しの状態とせず負傷や物損を防ぎ、電気製品を長期に使用しない場合は電源プラグを容器内面の線状の開閉口に嵌合するとともに電源コードを容器内に収納し、しかも電源プラグを嵌合する線状の開閉口は電源プラグを嵌合しない時は閉じていることにより異物の侵入を防ぐことを目的とする、電源プラグと電源コードの収納容器に関するものである。
【課題を解決するための手段】
【００１２】上記課題を解決するために、外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなることを特徴とする容器とするものである。【００１３】上記材質を使用すれば、線状の開閉口は電源プラグを嵌合しない時は閉じているため異物の侵入を防ぐことができ、プラグを嵌合できなくなる問題を解消できる。【００１４】第二の発明としては、外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなり、上記線状の開閉口の深さは１７ｍｍ以上であることを特徴とする容器とするものである。【００１５】線状の開閉口の深さが１７ｍｍ以上であれば電源プラグを嵌合した際に、電源プラグが完全に線状の開閉口に納まり先端がはみ出さないため、電源プラグによる負傷、物損を防ぐことができるのである。【００１６】第三の発明としては、外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなり、上記開口部から容器の閉塞する方向に１箇所又は複数箇所の開閉可能な接合部を備えたことを特徴とする容器とするものである。【００１７】開口部から容器の閉塞する方向に１箇所又は複数箇所の開閉可能な接合部を備えれば、電気製品を長期間使用しない時に、内面の線状の開閉口に電源プラグを嵌合し、電源コードを容器に収納する作業がしやすくなる。【００１８】第四の発明としては、外面と内面に電源プラグを嵌合できる線状の開閉口と、一部に開口部を有する容器において、上記電源プラグを嵌合できる線状の開閉口を有する部位が、紙、繊維、フェルト、ゴム、可撓性プラスチック、樹脂などの柔軟性のある材質からなり、上記線状の開閉口の深さは１７ｍｍ以上であり、上記開口部から容器の閉塞する方向に１箇所又は複数箇所の開閉可能な接合部を備えたことを特徴とする容器とするものである。
【発明の効果】
【００１９】電源プラグホルダーは紙、繊維、フェルト、ゴム、可撓性プラスチック、樹脂などの柔軟性のある材質からなるので線状の開閉口であってもプラグを嵌合する際に開閉口はプラグの形状に拡がり貫通する。しかもプラグを外せば材質の復元力で開閉口は塞がる。電気製品を一時的に使用しない時は電源プラグを容器の外面の線状の開閉口に嵌合する。長期に電気製品を使用しない場合は、容器の内面の線状の開閉口に電源プラグを嵌合し、電源コードを容器内に収納することで電源コードの散乱を防止できる。【００２０】また、蓋付きの容器としたり、上部に紐通し部を作り、紐を通した袋状の容器とすれば、開口部を閉じて電源コードが容器から飛び出すことを確実に防止出来る。さらに、容器の外側に吸盤やマジックテープを取り付け利用することで、容器内に収納した電源プラグと電源コードは電気製品に結合させることができるため、電気製品の運搬や収納がしやすくなる。さらに、上記蓋付きの容器や袋状の容器では、容器自体の一部にファスナーやボタン付きの開閉可能な接合部があると容器に電源コードを収納しやすく、接合部を閉じることで、電源コードが容器から飛び出すことも防止できる。
【図面の簡単な説明】
【００２１】
【図１】電源プラグと電源コードを収納する容器の斜視図である。
【図２】［図１］の電源プラグと電源コードを収納する容器の上面図である。
【図３】［図１］の電源プラグと電源コードを収納する容器の外面の線状の開閉口に電源プラグを差し込んだ状態の斜視図である。
【図４】［図３］の電源プラグを差し込んだ箇所の断面図である。
【図５】電源プラグと電源コードを収納する袋状容器の正面図である。
【図６】電源プラグと電源コードを収納する袋状容器の背面図である。
【図７】［図６］の電源プラグと電源コードを収納する袋状容器の開閉可能な接合部に取り付けたファスナーを開いた状態を示す背面図である。
【発明を実施するための形態】
【００２２】以下、本発明の電源プラグと電源コードの収納容器の実施の形態を図にて説明する。
【００２３】図１、図２のように容器に取り付けた電源プラグを嵌合する線状の開閉口（２’）を有する部位を電源プラグホルダー（２）と呼ぶ。容器の外面と内面に電源プラグホルダー（２）を取り付けた。
図３、図４は図１の電源プラグと電源コードを収納する容器の外面の電源プラグホルダーの線状の開閉口（２’）に電源プラグ（７）を嵌合した状態を示している。
外側の線状の開閉口と内側の線状の開閉口は貫通しているが、各々の線状の開閉口の深さが１７ｍｍ以上であれば貫通していなくてもよい。
【００２４】電気製品を一時的に使用しないときは、電源プラグを外面の線状の開閉口に嵌合し、容器の外側に取り付けたマジックテープなどを壁に取り付けたフックなどに掛けて保持することが出来る。
【実施例】
【実施例１】
【００２５】図１から図４は、可撓性プラスチック製で上面に開口部を設けた箱状の容器に関する図である。容器の１つの側面には外面と内面にゴム製の電源プラグホルダーを有し、この電源プラグホルダーには電源プラグを嵌合できる線状の開閉口を備えており、外面と内面の線状の開閉口は貫通している。
図３、図４のように外面の電源プラグホルダーの線状の開閉口に電源プラグを嵌合することで電源プラグが剥き出しで床面に散乱することを防止出来る。外面と内面の電源プラグホルダーの線状の開閉口の深さの合計が１７ｍｍ以上であれば、線状の開閉口へ電源プラグを根元まで差し込んだ状態でも電源プラグの先端は線状の開閉口から突出することはない。
【実施例２】
【００２６】図５から図７は、外面と内面に電源プラグを嵌合できる線状の開閉口を設けたフェルト製の電源プラグホルダーを有する布製の袋状容器に関する図である。上部の開口部の紐通し部に紐を通し、裏面には開口部から容器が閉塞する下部方向にファスナーで開閉自在とする接合部を設けた。電源プラグホルダーを動物の鼻に見立て、デザインとしてブタの顔を施している。電源プラグホルダーは厚さ１．５ｍｍのフェルトにカッターで２本のプラグの間隔である略１２．７ｍｍの間隔に長さ略６ｍｍの線状の開口を平行に作り、外面、内面とも電源プラグホルダー厚みが１７ｍｍ以上となるよう接着剤で多重に接合した。外面と内面の線状の開閉口は袋状容器の材質である布で隔てられているため貫通していない。電気製品を一時的に使用しない時には、外面の線状の開閉口に電源プラグを嵌合し、袋状容器の外側に取り付けたマジックテープなどを壁に取り付けたフックなどに掛けることで、電源プラグが剥き出しで床面に散乱することを防止出来る。また、袋状容器の裏面のファスナーを開き、内面の線状の開閉口に電源プラグを嵌合し、電源コードを袋に収納後、ファスナーを閉じ、紐通し部の紐を絞り袋の口を閉じて電源コードを袋状の容器から飛び出すことを防止する。袋の口を閉じた紐で電源プラグと電源コードが入った袋状容器は電気製品に縛ることで結合でき、運搬や保管がしやすくなる。この袋状容器は小物入れとしても使用できる。外面と内面の線状の開閉口は貫通していないため、内部から物が外部にこぼれることはない。また、線状の開閉口はカッターなどで線状に切断して作ることができ、電源プラグを嵌合しない時は閉じているため、外面と内面が貫通していても内部から物がこぼれる可能性は少ない。
【産業上の利用可能性】
【００２７】電源コードの長さや太さ、吸盤やマジックテープなど電気製品への容器の結合手段は電気製品毎に異なる。各々の電気製品に合った容器を作り出荷時に付属品とすることで、電気製品の運搬や保管のしやすさが向上する。
【符号の説明】
【００２８】１      電源プラグと電源コードを収納する容器
２      電源プラグホルダー
２’    線状の開閉口
３      ファスナー
４      紐通し
５      紐
６      容器断面
７      電源プラグ
８      電源コード
【図１】
2014139908.tif 000003
【図２】
2014139908.tif 000004
【図３】
2014139908.tif 000005
【図４】
2014139908.tif 000006
【図５】
2014139908.tif 000007
【図６】
2014139908.tif 000008
【図７】
2014139908.tif 000009